(57)【要約】【課題】  導光板の出射面から良好な輝度分布の光を照射する照明装置及び表示装置を提供する。【解決手段】  一実施形態の照明装置は、導光板と、第１光源と、複数のプリズムとを備えている。導光板は、第１側面と、第１主面と、第１主面の反対側の第２主面とを有する。第１光源は、導光板の第１側面に第１照射方向に沿って光を照射する。複数のプリズムは、第２主面に設けられている。第２主面は、第１照射方向に沿って順に並ぶ第１領域及び第２領域を有する。複数のプリズムは、第１領域にある複数の第１プリズムと、第２領域にある複数の第２プリズムとを含む。断面視において、複数の第１プリズムの頂点を結ぶ第１仮想線は、第１主面に対して傾斜している。断面視において、第２領域と第１主面との距離は、第１領域と第１主面との距離よりも長い。【選択図】    図４
2018045990.tif 000002
【特許請求の範囲】
【請求項１】
第１側面と、第１主面と、前記第１主面の反対側の第２主面とを有する導光板と、
前記導光板の前記第１側面に第１照射方向に沿って光を照射する第１光源と、
前記第２主面に設けられた複数のプリズムと、を備え、
前記第２主面は、前記第１照射方向に沿って順に並ぶ第１領域及び第２領域を有し、
前記複数のプリズムは、前記第１領域にある複数の第１プリズムと、前記第２領域にある複数の第２プリズムとを含み、
断面視において、前記複数の第１プリズムの頂点を結ぶ第１仮想線は、前記第１主面に対して傾斜しており、
断面視において、前記第２領域と前記第１主面との距離は、前記第１領域と前記第１主面との距離よりも長い、
照明装置。
【請求項２】
前記複数の第２プリズムの頂点を結ぶ第２仮想線は、前記第１仮想線に対して傾斜している、
請求項１に記載の照明装置。
【請求項３】
前記第２仮想線は、前記第１主面と平行である、
請求項２に記載の照明装置。
【請求項４】
前記導光板は、前記第１側面の反対側の第２側面を有し、
前記導光板の前記第２側面に対して光を照射する第２光源を備え、
前記第２主面は、前記第１照射方向に沿って順に並ぶ前記第１領域、前記第２領域、及び第３領域を有し、
前記複数のプリズムは、前記第３領域にある複数の第３プリズムを含み、
断面視において、前記第２領域と前記第１主面との距離は、前記第３領域と前記第１主面との距離よりも長い、請求項１乃至３のうちいずれか１項に記載の照明装置。
【請求項５】
前記第１プリズムと前記第２プリズムは、互いに形状が異なる、
請求項１乃至４のうちいずれか１項に記載の照明装置。
【請求項６】
前記複数の第１プリズムと前記複数の第２プリズムは、異なる密度で配置されている、
請求項１乃至４のうちいずれか１項に記載の照明装置。
【請求項７】
前記複数の第２プリズムの少なくとも一部において、前記第２プリズムの密度、前記第２プリズムの頂角の角度、又は、前記第２プリズムの高さが、互いに異なる、
請求項１乃至６のうちいずれか１項に記載の照明装置。
【請求項８】
前記複数の第２プリズムの少なくとも一部において、前記第２プリズムの密度、又は、前記第２プリズムの高さが、前記第１領域と前記第２領域の境界側の方が大きい、
請求項７に記載の照明装置。
【請求項９】
前記複数の第２プリズムの少なくとも一部において、前記第２プリズムの頂角の角度が、前記第１領域と前記第２領域の境界側の方が小さい、
請求項７又は８に記載の照明装置。
【請求項１０】
前記第１光源は、レーザー光を発するレーザー光源である、
請求項１乃至９のうちいずれか１項に記載の照明装置。
【請求項１１】
前記第２主面と対向する第１反射部材を備え、
前記第１反射部材は、前記第１領域と対向する第１部分と、前記第２領域と対向する第２部分とを含み、
前記第１部分は、前記第１領域と平行である、
請求項１乃至１０のうちいずれか１項に記載の照明装置。
【請求項１２】
前記導光板は、前記第１側面に対向する第２側面を有し、
前記第２側面に対向し、前記第２側面から出射する前記第１光源の光を前記第２側面に向けて反射する第２反射部材を備える、
請求項１乃至３のうちいずれか１項に記載の照明装置。
【請求項１３】
前記第１照射方向は、前記第１主面に対して傾斜しており、
前記第１側面は、前記第１光源からの光が入射する入射面を有し、
前記入射面は、前記第１仮想線が前記第１主面に対して傾斜する角度よりも大きい鋭角で前記第１主面に対して傾斜している、
請求項１乃至１２のうちいずれか１項に記載の照明装置。
【請求項１４】
前記導光板の厚さ方向において、前記第１光源の少なくとも一部と前記導光板とが重なる、
請求項１３に記載の照明装置。
【請求項１５】
請求項１乃至１４のうちいずれか１項に記載の照明装置と、
前記照明装置の前記導光板の前記第１主面と対向し、前記第１主面から照射される光を用いて画像を表示する表示パネルと、
を備える表示装置。
【発明の詳細な説明】
【技術分野】
【０００１】
本発明の実施形態は、照明装置及び表示装置に関する。
【背景技術】
【０００２】
例えば、液晶表示装置などの表示装置は、画素を有する表示パネルと、表示パネルを照明するバックライトなどの照明装置とを備えている。照明装置は、光を発する光源と、この光源からの光が照射される導光板とを備えている。光源からの光は、側面から導光板に入射し、導光板内を伝播し、導光板の一方の主面に相当する出射面から出射する。
【０００３】
導光板の出射面に輝度むらが生じると、表示パネルが表示する画像の品位も低下し得る。例えば、光源が発する光の視野角が狭い場合、導光板の出射面において光源に近い領域では、所望の輝度を得られない可能性がある。この場合、出射面の光源に近い領域において、表示パネルに十分な輝度の光を供給できない。
【先行技術文献】
【特許文献】
【０００４】
【特許文献１】特開２００４−３８１０８号公報
【特許文献２】特開２０１１−２３８４８４号公報
【発明の概要】
【発明が解決しようとする課題】
【０００５】
本開示の一態様における目的は、導光板の出射面から良好な輝度分布の光を照射する照明装置及び表示装置を提供することである。
【課題を解決するための手段】
【０００６】
一実施形態に係る照明装置は、導光板と、第１光源と、複数のプリズムとを備えている。前記導光板は、第１側面と、第１主面と、前記第１主面の反対側の第２主面とを有する。前記第１光源は、前記導光板の前記第１側面に第１照射方向に沿って光を照射する。前記複数のプリズムは、前記第２主面に設けられている。前記第２主面は、前記第１照射方向に沿って順に並ぶ第１領域及び第２領域を有する。前記複数のプリズムは、前記第１領域にある複数の第１プリズムと、前記第２領域にある複数の第２プリズムとを含む。断面視において、前記複数の第１プリズムの頂点を結ぶ第１仮想線は、前記第１主面に対して傾斜している。断面視において、前記第２領域と前記第１主面との距離は、前記第１領域と前記第１主面との距離よりも長い。
【図面の簡単な説明】
【０００７】
【図１】図１は、第１実施形態に係る表示装置の概略的な構成を示す斜視図である。
【図２】図２は、第１実施形態に係る表示装置の概略的な断面図である。
【図３】図３は、第１実施形態に係る照明装置の概略的な平面図である。
【図４】図４は、第１実施形態に係る導光板の概略的な断面図である。
【図５】図５は、第１実施形態に係る第１プリズムの拡大した断面図である。
【図６】図６は、第１実施形態に係る第２プリズムの拡大した断面図である。
【図７】図７は、比較例に係る導光板の輝度分布を示す図である。
【図８】図８は、他の比較例に係る導光板の輝度分布を示す図である。
【図９】図９は、図８の比較例に係る導光板の概略的な断面図である。
【図１０】図１０は、第１実施形態に係る導光板の輝度分布の一例を示す図である。
【図１１】図１１は、第１実施形態に係る第２プリズムの密度の調整例を示す図である。
【図１２】図１２は、図１１のように密度を調整した導光板の輝度分布を示す図である。
【図１３】図１３は、第１実施形態に係る第２プリズムの形状の調整例を示す図である。
【図１４】図１４は、第２実施形態に係る照明装置の概略的な構成を示す図である。
【図１５】図１５は、第２実施形態に係る導光板の輝度分布の一例を示す図である。
【図１６】図１６は、第３実施形態に係る照明装置の概略的な構成を示す図である。
【図１７】図１７は、第３実施形態に係る導光板の輝度分布の一例を示す図である。
【図１８】図１８は、第３実施形態の変形例に係る照明装置の概略的な構成を示す図である。
【図１９】図１９は、第４実施形態に係る導光板の概略的な断面を示す図である。
【図２０】図２０は、第５実施形態に係る導光板の概略的な断面を示す図である。
【図２１】図２１は、第６実施形態に係る照明装置の概略的な断面を示す図である。
【図２２】図２２は、第７実施形態に係る照明装置の一部の概略的な断面図である。
【図２３】図２３は、第８実施形態に係る照明装置の一部の概略的な断面図である。
【図２４】図２４は、第９実施形態に係る導光板の概略的な断面図である。
【図２５】図２５は、図２４に示した導光板の一部を拡大した断面図である。
【発明を実施するための形態】
【０００８】
いくつかの実施形態につき、図面を参照しながら説明する。  
なお、開示はあくまで一例に過ぎず、当業者において、発明の主旨を保っての適宜変更について容易に想到し得るものについては、当然に本発明の範囲に含有される。また、図面は、説明をより明確にするため、実際の態様に比べて模式的に表される場合があるが、あくまで一例であって、本発明の解釈を限定するものではない。各図において、連続して配置される同一又は類似の要素については符号を省略することがある。また、本明細書と各図において、既出の図に関して前述したものと同一又は類似した機能を発揮する構成要素には同一の参照符号を付し、重複する詳細な説明を省略することがある。
【０００９】
各実施形態においては、表示装置の一例として、透過型の液晶表示装置を開示する。また、照明装置の一例として、液晶表示装置のバックライトを開示する。ただし、各実施形態は、他種の表示装置や照明装置に対する、各実施形態にて開示される個々の技術的思想の適用を妨げるものではない。他種の表示装置としては、例えば、透過型の機能に加えて外光を反射してこの反射光を表示に利用する反射型の機能を備えた液晶表示装置や、Micro Electro Mechanical System（ＭＥＭＳ）シャッターが光学素子として機能する機械式表示パネルを有する表示装置などが想定される。他種の照明装置としては、例えば、表示装置の前面に配置されるフロントライトなどが想定される。また、照明装置は、表示装置の照明とは異なる用途で使用されるものであってもよい。
【００１０】
［第１実施形態］  
図１は、第１実施形態に係る表示装置１の概略的な構成を示す斜視図である。表示装置１は、例えば、スマートフォン、タブレット端末、携帯電話端末、パーソナルコンピュータ、テレビ受像装置、車載装置、ゲーム機器、ウェアラブル端末等の種々の装置に用いることができる。
【００１１】
表示装置１は、表示パネル２と、バックライトである照明装置３と、表示パネル２を駆動する駆動ＩＣチップ４と、表示パネル２及び照明装置３へ制御信号を伝達するフレキシブル回路基板ＦＰＣ１，ＦＰＣ２とを備えている。例えば、フレキシブル回路基板ＦＰＣ１，ＦＰＣ２は、表示パネル２及び照明装置３の動作を制御する制御モジュールに接続されている。
【００１２】
表示パネル２は、第１基板ＳＵＢ１（アレイ基板）と、第１基板ＳＵＢ１に対向する第２基板ＳＵＢ２（対向基板）とを備えている。表示パネル２は、画像を表示する表示領域ＤＡを有している。表示パネル２は、例えば、表示領域ＤＡにおいてマトリクス状に配列された複数の画素ＰＸを備えている。
【００１３】
照明装置３は、第１光源ＬＳ１と、第２光源ＬＳ２と、第１基板ＳＵＢ１に対向する導光板ＬＧとを備えている。第１光源ＬＳ１は導光板ＬＧの一方の側面に対向し、第２光源ＬＳ２は導光板ＬＧの他方の側面に対向している。図１においては各光源ＬＳ１，ＬＳ２を１つずつ示しているが、実際には複数の第１光源ＬＳ１と複数の第２光源ＬＳ２とが設けられている（図３参照）。
【００１４】
図１に示すように、第１方向Ｘ、第２方向Ｙ、及び第３方向Ｚを定義する。各方向Ｘ，Ｙ，Ｚは、例えば互いに直交する。本開示においては、表示装置１を第３方向Ｚと平行な方向から見ることを平面視と呼ぶ。また、Ｘ−Ｚ平面と平行な表示装置１の断面を見ることを断面視と呼ぶ。図１の例において、各基板ＳＵＢ１，ＳＵＢ２及び導光板ＬＧは、第１方向Ｘに沿う長辺と、第２方向Ｙに沿う短辺とを有しており、平面視における形状が長方形である。但し、各基板ＳＵＢ１，ＳＵＢ２及び導光板ＬＧの形状はこれに限定されず、平面視における形状が正方形や円形など他の形状であってもよい。
【００１５】
図２は、Ｘ−Ｚ平面と平行な表示装置１の概略的な断面図である。表示パネル２は、シール材ＳＬと、液晶層ＬＣとをさらに備えている。各基板ＳＵＢ１，ＳＵＢ２は、シール材ＳＬにより貼り合わされている。液晶層ＬＣは、シール材ＳＬ及び各基板ＳＵＢ１，ＳＵＢ２の間に封入されている。
【００１６】
第１基板ＳＵＢ１の下面（導光板ＬＧと対向する面）には、第１偏光板ＰＬ１が貼付されている。第２基板ＳＵＢ２の上面（第１基板ＳＵＢ１と対向しない面）には、第２偏光板ＰＬ２が貼付されている。各偏光板ＰＬ１，ＰＬ２の偏光軸は、互いに直交する。
【００１７】
導光板ＬＧは、表示パネル２と対向する第１主面５１と、第１主面５１の反対側の第２主面５２と、第１側面５３と、第１側面５３の反対側の第２側面５４とを有している。第１光源ＬＳ１は第１側面５３に対向し、第２光源ＬＳ２は第２側面５４に対向している。第１光源ＬＳ１と第１側面５３の間や第２光源ＬＳ２と第２側面５４の間にレンズなどの光学素子をさらに配置し、各光源ＬＳ１，ＬＳ２からの光の幅や角度を調整してもよい。
【００１８】
第１光源ＬＳ１は、第１照射方向ＤＬ１を中心とした広がりを持つ拡散光を第１側面５３に照射する。第２光源ＬＳ２は、第２照射方向ＤＬ２を中心とした広がりを持つ拡散光を第２側面５４に照射する。各照射方向ＤＬ１，ＤＬ２は、例えば反対の方向であり、第１方向Ｘと平行である。各光源ＬＳ１，ＬＳ２の発光素子としては、例えば偏光したレーザー光を放つ半導体レーザーなどのレーザー光源を用いることができる。各光源ＬＳ１，ＬＳ２の発光素子はレーザー光を放つものに限られず、例えば発光ダイオードを用いることもできる。
【００１９】
各光源ＬＳ１，ＬＳ２は、それぞれ異なる色の光を発する複数の発光素子を備えてもよい。例えば、各光源ＬＳ１，ＬＳ２が赤色、緑色、青色の光を発する３つの発光素子をそれぞれ備えれば、これらの色の混合色（例えば白色）の光を得ることができる。
【００２０】
表示装置１は、表示パネル２と導光板ＬＧの間に、プリズムシートＰＳを備えている。さらに、表示装置１は、プリズムシートＰＳと表示パネル２の間に、拡散シートＤＳ（拡散層）を備えている。例えば、プリズムシートＰＳは、第２方向Ｙと平行に延びる多数のプリズムを備えている。これらのプリズムは、例えばプリズムシートＰＳの下面（導光板ＬＧと対向する面）に形成されている。但し、これらのプリズムは、プリズムシートＰＳの上面（表示パネル２と対向する面）に形成されてもよい。
【００２１】
図２においては、第１光源ＬＳ１が発する光の光路の一例を破線で示し、第２光源ＬＳ２が発する光の光路の一例を１点鎖線で示している。第１光源ＬＳ１が発した光は、第１側面５３から導光板ＬＧに入り、各主面５１，５２で反射しながら導光板ＬＧを伝播し、やがて第１主面５１の全反射条件を外れて第１主面５１から出射する。第２光源ＬＳ２が発した光は、第２側面５４から導光板ＬＧに入り、各主面５１，５２で反射しながら導光板ＬＧを伝播し、やがて第１主面５１の全反射条件を外れて第１主面５１から出射する。このように、第１主面５１は、光が出射する出射面に相当する。
【００２２】
プリズムシートＰＳは、第１主面５１から出射した光を第３方向Ｚに実質的に平行な光に変換する。ここで、「第３方向Ｚに実質的に平行な光」は、第３方向Ｚと厳密に平行な光のみならず、第３方向Ｚに対する傾きが、第１主面５１から出射した際に比べて、プリズムシートＰＳにより十分に小さく変換された光を含む。各光源ＬＳ１，ＬＳ２からの光の偏光を維持する観点から、プリズムシートＰＳのプリズムが下面に形成されていることが好ましい。プリズムシートＰＳを経た光は、拡散シートＤＳで拡散されて、表示パネル２に照射される。プリズムシートＰＳを通過した光の視野角が狭い場合であっても、この光を拡散シートＤＳで拡散することにより視野角を広げることができる。
【００２３】
なお、各光源ＬＳ１，ＬＳ２からの光が十分に偏光された状態で表示パネル２に到達する場合には、第１偏光板ＰＬ１を省略してもよい。第１偏光板ＰＬ１を省略した場合には、例えば各基板ＳＵＢ１，ＳＵＢ２の透光性を高めることで、表示装置１の背景が透けて見えるいわゆる透明液晶表示装置を得ることができる。
【００２４】
図３は、照明装置３の概略的な平面図である。この図の例においては、第１側面５３に沿って８個の第１光源ＬＳ１が並び、第２側面５４に沿って８個の第２光源ＬＳ２が並んでいる。第１光源ＬＳ１が発する光の強度は第１光軸ＡＸ１において最も高く、第２光源ＬＳ２が発する光の強度は第２光軸ＡＸ２において最も高い。
【００２５】
各光源ＬＳ１，ＬＳ２は、図示したように、第２方向Ｙにおいて互い違いに配列されている。すなわち、第１光源ＬＳ１が第１照射方向ＤＬ１に発する光の第１光軸ＡＸ１と、第２光源ＬＳ２が第２照射方向ＤＬ２に発する光の第２光軸ＡＸ２とは、第２方向Ｙにおいて互いにずれている。なお、第１光軸ＡＸ１と第２光軸ＡＸ２が、第２方向Ｙにおいて揃っていてもよい。
【００２６】
図４は、Ｘ−Ｚ平面と平行な導光板ＬＧの概略的な断面図である。導光板ＬＧの第１主面５１は、第１方向Ｘ及び第２方向Ｙと平行な平面である。第２主面５２は、第１領域Ａ１と、第２領域Ａ２と、第３領域Ａ３とを有している。図３の平面図に示すように、第１領域Ａ１は、導光板ＬＧの第２方向Ｙにおける一端から他端に亘って、第１側面５３寄りに設けられている。第３領域Ａ３は、導光板ＬＧの第２方向Ｙにおける一端から他端に亘って、第２側面５４寄りに設けられている。第２領域Ａ２は、導光板ＬＧの第２方向Ｙにおける一端から他端に亘って、第１領域Ａ１と第３領域Ａ３の間に設けられている。第１領域Ａ１、第２領域Ａ２、及び第３領域Ａ３は、この順で第１照射方向ＤＬ１に沿って並んでいる。一例として、第１方向Ｘにおいて、第１領域Ａ１の幅と第３領域Ａ３の幅は等しい。また、第１方向Ｘにおいて、第２領域Ａ２の幅は各領域Ａ１，Ａ３の幅よりも小さい。但し、各領域Ａ１，Ａ３の幅が異なってもよいし、第２領域Ａ２の幅が各領域Ａ１，Ａ３の幅以上であってもよい。
【００２７】
図４に示すように、第１領域Ａ１及び第３領域Ａ３は、第１主面５１に対して傾いている。第２領域Ａ２は、第１主面５１と平行である。ここでの「平行」は、各領域Ａ１，Ａ３が第１主面５１に対して傾く角度よりも十分に小さい角度で、第２領域Ａ２が第１主面５１に対して傾いている場合（第１主面５１と実質的に平行な場合）を含む。
【００２８】
第２主面５２には複数のプリズムＰが設けられている。当該複数のプリズムＰは、第１領域Ａ１にある複数の第１プリズムＰ１と、第２領域Ａ２にある複数の第２プリズムＰ２と、第３領域Ａ３にある複数の第３プリズムＰ３とを含む。各プリズムＰ１，Ｐ２，Ｐ３は、第２方向Ｙに延在している。第１プリズムＰ１の断面形状は、例えば第２方向Ｙにおいて一様であるが、異なっていてもよい。第２プリズムＰ２及び第３プリズムＰ３についても同様である。
【００２９】
例えば、第１プリズムＰ１と第２プリズムＰ２は互いに形状が異なる。また、第３プリズムＰ３と第２プリズムＰ２も互いに形状が異なる。第１プリズムＰ１と第３プリズムＰ３は、同じ形状（対称な形状を含む）であってもよい。
【００３０】
例えば、各第１プリズムＰ１と各第２プリズムＰ２は、異なる密度で配置されている。また、各第３プリズムＰ３と各第２プリズムＰ２も異なる密度で配置されている。各第１プリズムＰ１と各第３プリズムＰ３は、同じ密度で配置されてもよい。
【００３１】
断面視において、複数の第１プリズムＰ１の頂点を結ぶ線分を第１仮想線ＶＬ１、複数の第２プリズムＰ２の頂点を結ぶ線分を第２仮想線ＶＬ２、複数の第３プリズムＰ３の頂点を結ぶ線分を第３仮想線ＶＬ３と呼ぶ。図４の例において、各仮想線ＶＬ１，ＶＬ２，ＶＬ３はいずれも直線である。但し、各仮想線ＶＬ１，ＶＬ２，ＶＬ３は少なくとも一部が屈曲してもよいし、曲線状であってもよい。
【００３２】
第１仮想線ＶＬ１は、第１主面５１に対して第１角度θ１で傾いている。第３仮想線ＶＬ３は、第１主面５１に対して第３角度θ３で傾いている。各角度θ１，θ３は、いずれも鋭角である。一例として、第１角度θ１と第３角度θ３は実質的に等しい（θ１≒θ３）。但し、第１角度θ１と第３角度θ３が異なってもよい（θ１≠θ３）。  
第２仮想線ＶＬ２は、各仮想線ＶＬ１，ＶＬ３に対して傾斜している。第２仮想線ＶＬ２と第１主面５１とが成す第２角度θ２は、各角度θ１，θ３よりも小さい（θ２＜θ１，θ３）。図４の例において、第２仮想線ＶＬ２は、第１主面５１と平行である。ここでの「平行」は、第２角度θ２が零である場合に加え、各角度θ１，θ３よりも十分に小さい場合（第１主面５１と実質的に平行な場合）を含む。
【００３３】
ここで、第１領域Ａ１における導光板ＬＧの厚さ（第１領域Ａ１と第１主面５１との距離）をＤ１、第２領域Ａ２における導光板ＬＧの厚さ（第２領域Ａ２と第１主面５１との距離）をＤ２、第３領域Ａ３における導光板ＬＧの厚さ（第３領域Ａ３と第１主面５１との距離）をＤ３と定義する。距離Ｄ１は、第１側面５３から各領域Ａ１，Ａ２の境界に向けて大きくなる。距離Ｄ３は、第２側面５４から各領域Ａ２，Ａ３の境界に向けて大きくなる。図４の例において、距離Ｄ２は一定である。
【００３４】
このような形状においては、距離Ｄ２は、第１領域Ａ１のいずれの位置における距離Ｄ１よりも長い（Ｄ２＞Ｄ１）。また、距離Ｄ２は、第３領域Ａ３のいずれの位置における距離Ｄ３よりも長い（Ｄ２＞Ｄ３）。
【００３５】
図５は、第１プリズムＰ１の拡大した断面図である。第１プリズムＰ１は、第１傾斜面１１と第２傾斜面１２とを有しており、断面が三角形状である。各傾斜面１１，１２が成す頂角の角度は、θａである。第１領域Ａ１における第２主面５２と第１傾斜面１１とが成す角度は、θｂである。第１領域Ａ１における第２主面５２と第２傾斜面１２とが成す角度は、θｃである。第１プリズムＰ１の第１方向Ｘにおける幅はＤｐ１であり、隣り合う第１プリズムＰ１の第１方向Ｘにおける間隔はＴｐ１である。第１プリズムＰ１の高さは、Ｈ１である。
【００３６】
図５の例において、角度θａは鈍角であり，角度θｂ，θｃは鋭角であり、θａ＞θｃ＞θｂが成り立つ。一例として、第１傾斜面１１は、第１主面５１と平行である。この場合、角度θｂは、上述の角度θ１と等しい。第１領域Ａ１に形成される各第１プリズムＰ１は、全て形状が同じであってもよいし、少なくとも一部の第１プリズムＰ１の形状が異なってもよい。
【００３７】
第３領域Ａ３に形成される各第３プリズムＰ３についても、以上説明した第１プリズムＰ１と同様の構成を有している。  
第１プリズムＰ１や第３プリズムＰ３が多い領域ほど第１主面５１から出射する光を増やすことができる。また、一般的に導光板の端部においては出射面の輝度が低下し易い。これらに鑑み、図４に示すように、第１領域Ａ１における第１プリズムＰ１の密度を、各領域Ａ１，Ａ２の境界から第１側面５３に向けて増加させてもよい。同様に、第３領域Ａ３における第３プリズムＰ３の密度を、各領域Ａ２，Ａ３の境界から第２側面５４に向けて増加させてもよい。
【００３８】
ここで、第１プリズムＰ１の密度は、例えば単位長さ当りの第１プリズムＰ１の数として定義することができる。或いは、第１プリズムＰ１の密度は、第１プリズムＰ１の幅Ｄｐ１と、隣り合う第１プリズムＰ１の間隔Ｔｐ１との比で表すこともできる。第３プリズムＰ３の密度についても同様である。
【００３９】
また、第１プリズムＰ１の頂角の角度θａや高さＨ１を、各領域Ａ１，Ａ２の境界から第１側面５３に向けて増加させてもよい。この場合、第１領域Ａ１における第１プリズムＰ１の密度を一定としてもよい。  
同様に、第３プリズムＰ３の頂角の角度や高さを、各領域Ａ２，Ａ３の境界から第２側面５４に向けて増加させてもよい。この場合、第３領域Ａ３における第３プリズムＰ３の密度を一定としてもよい。
【００４０】
なお、以上述べた密度、角度、及び高さの調整は、必ずしも全ての第１プリズムＰ１や第３プリズムＰ３を対象として適用される必要はない。例えば、各第１プリズムＰ１の一部において密度、角度、及び高さが異なってもよい。同様に、各第３プリズムＰ３の一部において密度、角度、及び高さが異なってもよい。
【００４１】
図６は、第２プリズムＰ２の拡大した断面図である。第２プリズムＰ２は、第１傾斜面２１と第２傾斜面２２とを有しており、断面が三角形状である。各傾斜面２１，２２が成す頂角の角度は、θｄである。第２領域Ａ２における第２主面５２と第１傾斜面２１とが成す角度は、θｅである。第２領域Ａ２における第２主面５２と第２傾斜面２２とが成す角度は、θｆである。第２プリズムＰ２の第１方向Ｘにおける幅はＤｐ２であり、隣り合う第２プリズムＰ２の第１方向Ｘにおける間隔はＴｐ２である。第２プリズムＰ２の高さは、Ｈ２である。
【００４２】
図６の例において、角度θｄは鈍角であり、角度θｅ，θｆは鋭角であり、θｄ＞θｅ，θｆが成り立つ。角度θｅと角度θｆは、例えば同じ角度である（θｅ＝θｆ）。第２領域Ａ２に形成される各第２プリズムＰ２の角度θｄや高さＨ２は、全て同じであってもよいし、各第２プリズムＰ２の少なくとも一部において異なってもよい。また、各第２プリズムＰ２の密度は一定であってもよいし、各第２プリズムＰ２の少なくとも一部において異なってもよい。
【００４３】
ここで、第２プリズムＰ２の密度は、例えば単位長さ当りの第２プリズムＰ２の数として定義することができる。或いは、第２プリズムＰ２の密度は、第２プリズムＰ２の幅Ｄｐ２と、隣り合う第２プリズムＰ２の間隔Ｔｐ２との比で表すこともできる。
【００４４】
本実施形態の導光板ＬＧの構造によれば、第１主面５１から出射する光の輝度むらを抑制し、良好な輝度分布の光を表示パネル２に照射することができる。この効果につき、図７乃至図１０を用いて説明する。  
図７は、比較例に係る導光板ＬＧＡにおける出射面の輝度分布を示す図である。この導光板ＬＧＡは、光源側の一端（図中左側）から他端（図中右側）に亘って厚さが一定の平板型である。すなわち、導光板ＬＧＡの形状は、図４に示す導光板ＬＧにおける第３領域Ａ３を有し、第１領域Ａ１と第２領域Ａ２を有さない形状に相当する。９つの光源が図中の左側の端部に沿って並べられている。この比較例では、光源から離れるに連れて出射面の輝度が増加している。光源に近い領域では、高輝度部分と低輝度部分とが第２方向Ｙに沿って繰り返される縞模様が生じている。
【００４５】
図８は、他の比較例に係る導光板ＬＧＢにおける出射面の輝度分布を示す図である。図９は、この導光板ＬＧＢの概略的な断面図である。図９に示すように、導光板ＬＧＢは、左端から第１方向Ｘにおける中心Ｃに向けて厚さが増し、当該中心Ｃから右端に向けて厚さが減少する形状である。すなわち、導光板ＬＧＢの形状は、図４に示す導光板ＬＧにおける第１領域Ａ１と第３領域Ａ３を有し、第２領域Ａ２を有さない形状に相当する。複数の光源ＬＳが左端と右端のそれぞれに配置されている。なお、導光板ＬＧＢには上述の第１プリズムＰ１や第３プリズムＰ３と同様のプリズムが配置されているが、図９においては省略している。
【００４６】
導光板ＬＧＢの左端に配置された光源ＬＳの光は、主に第３領域Ａ３のプリズムにて反射して出射面から出射する。また、導光板ＬＧＢの右端に配置された光源ＬＳの光は、主に第１領域Ａ１のプリズムにて反射して出射面から出射する。したがって、図８に示すように、この比較例では図７のような光源近傍での輝度低下が生じない。しかしながら、各領域Ａ１，Ａ３の境界近傍のプリズムで反射した光は、当該境界近傍の直上からは出射し難く、当該境界近傍から離れた位置から出射する。これに起因して、第１方向Ｘにおける中心Ｃの近傍（各領域Ａ１，Ａ３の境界近傍）で出射面の輝度が大幅に低下している。
【００４７】
図１０は、本実施形態に係る導光板ＬＧにおける出射面（第１主面５１）の輝度分布を示す図である。この図の例では、各領域Ａ１，Ａ３の間に第２領域Ａ２が設けられているために、中央近傍における輝度の低下が生じていない。すなわち、第２領域Ａ２の第２プリズムＰ２により、各光源ＬＳ１，ＬＳ２からの光が中央近傍の出射面（第１主面５１）からも出射するので、図９のような輝度むらが抑制されている。
【００４８】
図１０の輝度分布においては、各領域Ａ１，Ａ２の境界、及び、各領域Ａ２，Ａ３の境界において、軽度な輝度の低下が見られる。この輝度低下を抑制すべく、第２プリズムＰ２の密度や形状を調整してもよい。
【００４９】
図１１は、第２プリズムＰ２の密度の調整例を示す図である。１点鎖線で示す線は、第１方向Ｘにおける第２領域Ａ２の中心Ｃである。各第２プリズムＰ２の密度は、中心Ｃから各領域Ａ１，Ａ２の境界に向けて増加している。また、各第２プリズムＰ２の密度は、中心Ｃから各領域Ａ２，Ａ３の境界に向けて増加している。なお、この例においては、各第２プリズムＰ２の幅Ｄｐ２及び頂角の角度θｄが一定であり、隣り合う第２プリズムＰ２の間隔Ｔｐ２を中心Ｃに近づくほど大きくすることによって密度が調整されている。各領域Ａ１，Ａ２の境界、及び、各領域Ａ２，Ａ３の境界において第２プリズムＰ２の密度を大きくすると、これら境界における出射面からより多くの光を出射させることができる。
【００５０】
図１２は、図１１のように第２プリズムＰ２の密度を調整した導光板ＬＧにおける出射面（第１主面５１）の輝度分布を示す図である。この例においては、各領域Ａ１，Ａ２の境界、及び、各領域Ａ２，Ａ３の境界において、図１０のような輝度の低下が生じていない。したがって、第２プリズムＰ２の密度の調整により、一層良好な輝度分布を得られることが分かる。
【００５１】
図１３は、第２プリズムＰ２の形状の調整例を示す図である。この例では、各第２プリズムＰ２の角度θｄが中心Ｃから各領域Ａ１，Ａ２の境界に向けて低下している。また、各第２プリズムＰ２の角度θｄは、中心Ｃから各領域Ａ２，Ａ３の境界に向けて低下している。幅Ｄｐ２及び間隔Ｔｐ２は、第２領域Ａ２の全体に亘って一定である。したがって、各第２プリズムＰ２の高さＨ２は、中心Ｃから各領域Ａ１，Ａ２の境界に向けて増加している。同様に、各第２プリズムＰ２の高さＨ２は、中心Ｃから各領域Ａ２，Ａ３の境界に向けて増加している。
【００５２】
各領域Ａ１，Ａ２の境界、及び、各領域Ａ２，Ａ３の境界において第２プリズムＰ２の角度θｄを大きくすると、図６に示した各傾斜面２１，２２が急峻となる。したがって、各傾斜面２１，２２で反射される光がより垂直に近い角度で第１主面５１に到達し、第１主面５１から出射し易い。また、高さＨ２を大きくすると、各傾斜面２１，２２の面積が増す。したがって、各傾斜面２１，２２により、より多くの光が第１主面５１に向けて反射される。これらのことから、角度θｄや高さＨ２を調整することにより、各領域Ａ１，Ａ２の境界、及び、各領域Ａ２，Ａ３の境界において、出射面からより多くの光を出射させることができる。したがって、図１３のように第２プリズムＰ２の形状を調整した場合であっても、密度を調整する場合と同様に良好な輝度分布を得ることができる。
【００５３】
以上説明した本実施形態によれば、第２領域Ａ２を導光板ＬＧに設けたことで、良好な第１主面５１の輝度分布を得ることができる。また、このような導光板ＬＧを備えた照明装置３を用いることで、表示装置１の表示品位を高めることができる。  
その他、本実施形態からは、上述した種々の好適な効果を得ることができる。
【００５４】
［第２実施形態］  
第２実施形態について説明する。特に言及しない構成及び効果については、第１実施形態の図４等と同様である。  
図１４は、第２実施形態に係る照明装置３の概略的な構成を示す図である。この照明装置３は、第１光源ＬＳ１、第２光源ＬＳ２、及び導光板ＬＧに加え、第１反射部材６０を備えている。第１反射部材６０は、例えば金属材料で構成されたシート材であり、導光板ＬＧの第２主面５２に対向している。第１反射部材６０は、導光板ＬＧの第２主面５２から漏れた光を導光板ＬＧに向けて反射する。なお、第２主面５２にあるプリズム群は省略している。
【００５５】
第１反射部材６０は、第１領域Ａ１に対向する第１部分６１と、第２領域Ａ２に対向する第２部分６２と、第３領域Ａ３に対向する第３部分６３とを有している。本実施形態では、各部分６１〜６３がいずれも同一のＸ−Ｙ平面に延在している。第１部分６１は、第１領域Ａ１と非平行である。第２部分６２は、第２領域Ａ２と平行である。第３部分６３は、第３領域Ａ３と非平行である。
【００５６】
図１５は、第２実施形態の構成において、導光板ＬＧにおける出射面の輝度分布を示す図である。この輝度分布から分かるように、第１反射部材６０を設けた場合であっても、第１実施形態と同じく良好な輝度分布を得ることができる。さらに、第１反射部材６０を設けた場合には、導光板ＬＧの第２主面５２から漏れる光を再利用できるので、第１主面５１の輝度を全体的に高めることができる。
【００５７】
［第３実施形態］  
第３実施形態について説明する。特に言及しない構成及び効果については、上述の各実施形態と同様である。  
図１６は、第３実施形態に係る照明装置３の概略的な構成を示す図である。この照明装置３は、第２実施形態と同様に、第１反射部材６０を備えている。図１６においては、第１方向Ｘにおける第２領域Ａ２の中心Ｃを１点鎖線で示している。
【００５８】
第１反射部材６０は、第１部分６１と、第２部分６２とを有している。第１部分６１は、第１領域Ａ１の全てと、第２領域Ａ２のうち中心Ｃよりも第１領域Ａ１側の半分と対向している。第２部分６２は、第３領域Ａ３の全てと、第２領域Ａ２のうち中心Ｃよりも第３領域Ａ３側の半分と対向している。第１部分６１は、第１領域Ａ１と平行であり、第２領域Ａ２と非平行である。第２部分６２は、第３領域Ａ３と平行であり、第２領域Ａ２と非平行である。
【００５９】
図１７は、第３実施形態の構成において、導光板ＬＧにおける出射面の輝度分布を示す図である。図１５と同様に、良好な輝度分布を得ることができる。さらに、図１５に比べて、輝度分布の均一性が増している。このことから、本実施形態のように、第１領域Ａ１及び第３領域Ａ３と平行に第１反射部材６０を配置することが好ましい。なお、図１８に示すように、第２部分６２は、第２領域Ａ２と平行に形成してもよい。
【００６０】
［第４実施形態］  
第４実施形態について説明する。特に言及しない構成及び効果については、上述の各実施形態と同様である。  
図１９は、第４実施形態に係る導光板ＬＧの一部の概略的な断面を示す図である。ここでは、各プリズムＰ１，Ｐ２，Ｐ３の図示を省略している。図示したように、導光板ＬＧは、第２領域Ａ２において、第２主面５２が曲面状である。このように第２領域Ａ２を構成すると、各領域Ａ１，Ａ２の境界及び各領域Ａ２，Ａ３の境界における第２主面５２の変化が滑らかになる。したがって、第１主面５１における輝度分布の変化も滑らかになり、局所的な輝度の低下を防ぐことができる。
【００６１】
［第５実施形態］  
第５実施形態について説明する。特に言及しない構成及び効果については、上述の各実施形態と同様である。  
図２０は、第５実施形態に係る導光板ＬＧの一部の概略的な断面を示す図である。図示したように、導光板ＬＧは、第２領域Ａ２において、複数の傾斜面Ａ２ａ，Ａ２ｂ，Ａ２ｃ，Ａ２ｄを有している。各傾斜面Ａ２ａ，Ａ２ｂ，Ａ２ｃ，Ａ２ｄは、各領域Ａ１，Ａ２の境界から各領域Ａ２，Ａ３の境界に向けてこの順で並んでいる。各傾斜面Ａ２ａ，Ａ２ｂ，Ａ２ｃ，Ａ２ｄは、例えば図示した断面形状で第２方向Ｙと平行に延在している。
【００６２】
傾斜面Ａ２ａは、第１領域Ａ１と異なる角度でＸ−Ｙ平面に対して傾斜している。傾斜面Ａ２ｂは、傾斜面Ａ２ａと異なる角度でＸ−Ｙ平面に対して傾斜している。傾斜面Ａ２ｃは、傾斜面Ａ２ｂと異なる角度でＸ−Ｙ平面に対して傾斜している。傾斜面Ａ２ｄは、傾斜面Ａ２ｃ及び第３領域Ａ３と異なる角度でＸ−Ｙ平面に対して傾斜している。ここでは、第２プリズムＰ２の図示を省略しているが、第２プリズムＰ２は各傾斜面Ａ２ａ，Ａ２ｂ，Ａ２ｃ，Ａ２ｄにそれぞれ形成されている。  
なお、図２０には各傾斜面Ａ２ａ，Ａ２ｂ，Ａ２ｃ，Ａ２ｄが第１方向Ｘに並ぶ例を示したが、第２方向Ｙに並ぶ複数の傾斜面が第２領域Ａ２に形成されてもよい。また、傾斜面の数は４つに限定されず、２つ又は３つでもよいし、５つ以上でもよい。また、第２領域Ａ２は、傾斜面に加えてＸ−Ｙ平面と平行な面を含んでもよい。
【００６３】
［第６実施形態］  
第６実施形態について説明する。特に言及しない構成及び効果については、上述の各実施形態と同様である。  
図２１は、第６実施形態に係る照明装置３の概略的な断面を示す図である。この照明装置３は、導光板ＬＧと、第１光源ＬＳ１と、第１反射部材６０とを備えている。照明装置３は、第２光源ＬＳ２を備えていない。導光板ＬＧの第２主面５２は、第１領域Ａ１と、第２領域Ａ２とを有している。ここでは図示を省略しているが、第１領域Ａ１には複数の第１プリズムＰ１が形成され、第２領域Ａ２には複数の第２プリズムＰ２が形成されている。
【００６４】
第１領域Ａ１における導光板ＬＧの厚さである距離Ｄ１は、第１側面５３から各領域Ａ１，Ａ２の境界に向けて大きくなる。図２１の例において、第２領域Ａ２における導光板ＬＧの厚さである距離Ｄ２は一定である。第１実施形態と同様に、距離Ｄ２は第１領域Ａ１のいずれの位置における距離Ｄ１よりも長い（Ｄ２＞Ｄ１）。
【００６５】
第１反射部材６０は、第１領域Ａ１に対向する第１部分６１と、第２領域Ａ２に対向する第２部分６２とを有している。第１部分６１は第１領域Ａ１と平行であり、第２部分６２は第２領域Ａ２と平行である。図１４のように、第１部分６１と第１領域Ａ１とが平行でなくてもよい。また、図１６のように、第２部分６２と第２領域Ａ２とが平行でなくてもよい。
【００６６】
照明装置３は、第２反射部材７０をさらに備えている。第２反射部材７０は、例えば金属材料で構成されたシート材であり、導光板ＬＧの第２側面５４に対向している。第２反射部材７０は、第２側面５４と平行である。
【００６７】
図２１においては、第１光源ＬＳ１が発する光の光路の一例を破線で示している。第１光源ＬＳ１が発した光は、第１側面５３から導光板ＬＧに入る。第１領域Ａ１が図２１のように傾斜していると、この光が浅い角度で第１領域Ａ１に照射されるので、各主面５１，５２の全反射条件を外れにくい。したがって、この光は各主面５１，５２で反射されながら導光板ＬＧを伝播し、第２側面５４に到達する。この光は第２側面５４から出射し得るが、第２反射部材７０で反射されて導光板ＬＧに再び入射する。導光板ＬＧに戻った光は、第１領域Ａ１の第１プリズムＰ１や第２領域Ａ２の第２プリズムＰ２で反射され、第１主面５１の全反射条件を外れて第１主面５１から出射する。
【００６８】
仮に第２領域Ａ２を設けない場合には、第２反射部材７０で反射した光の輝度が第２側面５４の近傍で大きく低下し、第１主面５１に輝度むらが生じ得る。これに対し、第２領域Ａ２を設けた場合には、第１実施形態と同様にこのような輝度むらを抑制し、第１主面５１の輝度分布の均一性を向上させることができる。
【００６９】
［第７実施形態］  
第７実施形態について説明する。特に言及しない構成及び効果については、上述の各実施形態と同様である。  
図２２は、第７実施形態に係る照明装置３の一部の概略的な断面図である。この照明装置３は、導光板ＬＧと、第１光源ＬＳ１と、第１反射部材６０とを備えている。
本実施形態において、第１側面５３は、入射面５３ａと、端面５３ｂとを含む。入射面５３ａは、第１主面５１に対して角度θｉｎで傾斜している。角度θｉｎは、上述の第１仮想線ＶＬ１の第１主面５１に対する傾斜角度である第１角度θ１よりも大きい鋭角である（θ１＜θｉｎ＜９０°）。端面５３ｂは、例えばＹ−Ｚ平面と平行な平面である。  
なお、図２２の例では入射面５３ａが平面であるが、曲面であってもよい。また、第１側面５３は、端面５３ｂを有していなくてもよい。
【００７０】
第１光源ＬＳ１が光を照射する方向である第１照射方向ＤＬ１は、第１主面５１に対して傾斜している。すなわち本実施形態では、断面視において、第１照射方向ＤＬ１が第１方向Ｘと一致しない。但し、平面視の場合には、第１照射方向ＤＬ１と第１方向Ｘとが一致する。
【００７１】
第１光源ＬＳ１は、導光板ＬＧの厚さ方向（第３方向Ｚ）において、導光板ＬＧと重なっている。図２２の例では、第１光源ＬＳ１の全てが導光板ＬＧと重なっているが、第１光源ＬＳ１の一部が導光板ＬＧと重なってもよい。
【００７２】
以上の構成であっても、上述の各実施形態と同様の効果を得ることができる。また、導光板ＬＧの下方のスペースに第１光源ＬＳ１を配置することで、照明装置３ないし表示装置１の小型化や、額縁領域の狭小化を実現できる。  
なお、第２側面５４および第２光源ＬＳ２についても、本実施形態にて開示した第１側面５３および第１光源ＬＳ１と同様の構成を適用できる。
【００７３】
［第８実施形態］  
第８実施形態について説明する。特に言及しない構成及び効果については、上述の各実施形態と同様である。
図２３は、第８実施形態に係る照明装置３の一部の概略的な断面図である。この照明装置３は、導光板ＬＧと、第１光源ＬＳ１と、第１反射部材６０とを備えている。導光板ＬＧ及び第１反射部材６０には、上述した各実施形態の構成を適用できる。
第１光源ＬＳ１は、導光板ＬＧの厚さ方向（第３方向Ｚ）において、導光板ＬＧと重なっている。図２３の例では、第１光源ＬＳ１の全てが導光板ＬＧと重なっているが、第１光源ＬＳ１の一部が導光板ＬＧと重なってもよい。
【００７４】
さらに、照明装置３は、導光板ＬＧの第１側面５３の近傍に配置された屈曲体８０を備えている。図２３に示した屈曲体８０は、Ｘ−Ｚ断面における形状が三角形であり、第２方向Ｙに延在するプリズムである。具体的には、屈曲体８０は、第１面８１と、第２面８２と、第３面８３とを有している。一例として、屈曲体８０は、図３に示したように第２方向Ｙに並ぶ複数の第１光源ＬＳ１のそれぞれに対して１つずつ設けられてもよい。また、屈曲体８０は、２つ以上の第１光源ＬＳ１に対して１つずつ設けられてもよいし、全ての第１光源ＬＳ１に対して１つ設けられてもよい。
【００７５】
第１面８１は、入射領域８１ａと、出射領域８１ｂとを有している。入射領域８１ａは、第１光源ＬＳ１と対向している。出射領域８１ｂは、導光板ＬＧの第１側面５３と対向している。図２３の例では、第１面８１が第３方向Ｚと平行であるが、第３方向Ｚに対して傾いていてもよい。第２面８２および第３面８３は、第１面８１に対して所定の角度で傾いている。第２面８２と第１面８１とが成す角度と、第３面８３と第１面８１とが成す角度は、同じであってもよいし、異なっていてもよい。
【００７６】
第１光源ＬＳ１が発する光は、入射領域８１ａから屈曲体８０に入射する。この入射した光は、第２面８２で反射され、さらに第３面８３で反射されて、出射領域８１ｂから出射する。この出射した光は、第１照射方向ＤＬ１に沿って導光板ＬＧの第１側面５３に照射され、導光板ＬＧの各主面５１，５２で反射されながら導光板ＬＧを伝播する。このように、本実施形態においては、第１光源ＬＳ１が発した光の光路が屈曲体８０にて第１照射方向ＤＬ１に屈曲され、導光板ＬＧに入射する。
【００７７】
以上の構成であっても、上述の各実施形態と同様の効果を得ることができる。また、本実施形態のように屈曲体８０を用いることで、第１光源ＬＳ１の配置位置の自由度が高まる。したがって、例えば図２３のように導光板ＬＧの下方のスペースに第１光源ＬＳ１を配置することで、照明装置３ないし表示装置１の小型化や、額縁領域の狭小化を実現できる。
【００７８】
なお、図２３においては屈曲体８０がプリズムである例を示したが、屈曲体８０は第２面８２および第３面８３に相当する形状の反射部材（ミラー部材）であってもよい。  
また、屈曲体８０は、第１光源ＬＳ１からの光を１回のみ反射して第１側面５３に照射する構造であってもよいし、３回以上反射して第１側面５３に照射する構造であってもよい。  
第１側面５３は、図２２に示したように第１主面５１に対して傾いた入射面５３ａを含んでもよい。この場合において、屈曲体８０は、入射面５３ａに光が照射されるように第１光源ＬＳ１からの光の光路を屈曲させる構造とすればよい。
以上、本実施形態において第１光源ＬＳ１の近傍について述べた構成は、第２光源ＬＳ２の側についても同様に適用することができる。
【００７９】
［第９実施形態］  
第９実施形態について説明する。特に言及しない構成及び効果については、上述の各実施形態と同様である。
図２４は、第９実施形態に係る導光板ＬＧの概略的な断面図である。この図の例において、導光板ＬＧの厚さは、第１方向Ｘにおける中心Ｃから第１側面５３および第２側面５４に向けて漸次減少している。導光板ＬＧの第２主面５２には、複数のプリズムＰＡが設けられている。導光板ＬＧは、全体として中心Ｃに関して線対称な形状を有しているが、この例に限られない。
【００８０】
図２５は、図２４に示した導光板ＬＧの一部を拡大した断面図である。この図の例においては、第１側面５３から中心Ｃに亘って８つのプリズムＰＡ（ＰＡ１〜ＰＡ８）が設けられている。但し、第１側面５３から中心Ｃに亘って設けられるプリズムＰＡの数は８つに限られない。
プリズムＰＡは、第１傾斜面１３と、第２傾斜面１４とを有しており、断面が三角形状である。第１傾斜面１３と第２主面５２とが成す角度は、αである。第２傾斜面１４と第２主面５２とが成す角度は、βである。図２５の例においては、隣り合うプリズムＰＡの間に間隔が設けられていない。このような場合、例えば、隣り合うプリズムＰＡの間の谷部の先端を繋ぐ面を第２主面５２と定義することができる。なお、隣り合うプリズムＰＡの間に間隔が設けられてもよい。
【００８１】
図２５の例においては、プリズムＰＡ１〜ＰＡ４がいずれも同じ形状である。これらプリズムＰＡ１〜ＰＡ４の第１傾斜面１３は、第１主面５１と平行である。  
一方、プリズムＰＡ５〜ＰＡ８は、プリズムＰＡ１〜ＰＡ４と形状が異なるとともに、プリズムＰＡ５〜ＰＡ８の相互間においても互いに形状が異なっている。具体的には、プリズムＰＡ５〜ＰＡ８の角度αは、中心Ｃに近いプリズムＰＡほど大きい。これにより、プリズムＰＡ５〜ＰＡ８の第１傾斜面１３は、第１主面５１に対して鋭角を成す角度で傾斜している。また、プリズムＰＡ５〜ＰＡ８の高さは、プリズムＰＡ１〜ＰＡ４の高さよりも大きく、かつ中心Ｃに近いプリズムＰＡほど大きい。プリズムＰＡ１〜ＰＡ８の角度βは、例えば同じであるが、異なってもよい。
【００８２】
ここで、プリズムＰＡ１〜ＰＡ４の頂点を結ぶ第１仮想線ＶＬ１１と、プリズムＰＡ７，ＰＡ８の頂点を結ぶ第２仮想線ＶＬ１２とに着目する。第１仮想線ＶＬ１１は、第１主面５１に対して第１角度θ１１で傾いている。第２仮想線ＶＬ１２は、第１主面５１に対して第２角度θ１２で傾いている。
プリズムＰＡ１〜ＰＡ４は、全て同じ高さである。一方、プリズムＰＡ７，ＰＡ８は、角度αが異なるために、図２５の例においてはプリズムＰＡ７の高さよりもプリズムＰＡ８の高さの方が大きい。そのため、第２角度θ１２は、第１角度θ１１よりも大きい（θ１２＞θ１１）。他の観点から言えば、プリズムＰＡ７，ＰＡ８が設けられた領域（第２領域）の第２仮想線ＶＬ１２は、プリズムＰＡ１〜ＰＡ４が設けられた領域（第１領域）の第１仮想線ＶＬ１１に対して傾斜している。
【００８３】
なお、ここではプリズムＰＡ７，ＰＡ８に着目したが、プリズムＰＡ４，ＰＡ５、プリズムＰＡ５，ＰＡ６、プリズムＰＡ６，ＰＡ７に着目して第２仮想線ＶＬ１２を定義した場合であっても、この第２仮想線ＶＬ１２は第１仮想線ＶＬ１１に対して傾斜している。
第２側面５４と中心Ｃとの間に設けられるプリズムＰＡについても、第１側面５３と中心Ｃとの間に設けられるプリズムＰＡと同様の構成を適用できる。
【００８４】
本実施形態の構成であれば、中心Ｃに近いプリズムＰＡほど角度αが大きいので、第１傾斜面１３にて反射する光が第１主面５１から出射し易くなる。そのため、図８に示したような中心Ｃの近傍での輝度低下を抑制することができる。
【００８５】
以上、本発明の実施形態として説明した照明装置及び表示装置を基にして、当業者が適宜設計変更して実施し得る全ての照明装置及び表示装置も、本発明の要旨を包含する限り、本発明の範囲に属する。
【００８６】
本発明の思想の範疇において、当業者であれば、各種の変形例に想到し得るものであり、それら変形例についても本発明の範囲に属するものと解される。例えば、上述の各実施形態に対して、当業者が適宜、構成要素の追加、削除、若しくは設計変更を行ったもの、又は、工程の追加、省略若しくは条件変更を行ったものも、本発明の要旨を備えている限り、本発明の範囲に含まれる。
【００８７】
また、各実施形態において述べた態様によりもたらされる他の作用効果について、本明細書の記載から明らかなもの、又は当業者において適宜想到し得るものについては、当然に本発明によりもたらされるものと解される。
【符号の説明】
【００８８】
１…表示装置、２…表示パネル、３…照明装置、ＳＵＢ１…第１基板、ＳＵＢ２…第２基板、ＬＣ…液晶層、ＤＡ…表示領域、ＬＧ…導光板、ＰＳ…プリズムシート、ＤＳ…拡散シート、５１…第１主面、５２…第２主面、５３…第１側面、５４…第２側面、Ａ１〜Ａ３…第１〜第３領域、Ｐ１〜Ｐ３…第１〜第３プリズム、ＬＳ１…第１光源、ＬＳ２…第２光源、ＶＬ１〜ＶＬ３…第１〜第３仮想線、６０…第１反射部材、６１〜６３…第１〜第３部分、７０…第２反射部材。
【図１】
2018045990.tif 000003
【図２】
2018045990.tif 000004
【図３】
2018045990.tif 000005
【図４】
2018045990.tif 000006
【図５】
2018045990.tif 000007
【図６】
2018045990.tif 000008
【図７】
2018045990.tif 000009
【図８】
2018045990.tif 000010
【図９】
2018045990.tif 000011
【図１０】
2018045990.tif 000012
【図１１】
2018045990.tif 000013
【図１２】
2018045990.tif 000014
【図１３】
2018045990.tif 000015
【図１４】
2018045990.tif 000016
【図１５】
2018045990.tif 000017
【図１６】
2018045990.tif 000018
【図１７】
2018045990.tif 000019
【図１８】
2018045990.tif 000020
【図１９】
2018045990.tif 000021
【図２０】
2018045990.tif 000022
【図２１】
2018045990.tif 000023
【図２２】
2018045990.tif 000024
【図２３】
2018045990.tif 000025
【図２４】
2018045990.tif 000026
【図２５】
2018045990.tif 000027